(57)【特許請求の範囲】
【請求項１】
１つ以上のコンポーネントキャリアを用いて、参照信号を受信する受信装置であって、
参照信号として生成された系列であって、コンポーネントキャリア内に割り当てられた１つ以上の連続周波数リソースからなる周波数リソースにマッピングされた前記系列を受信する受信部と、
受信した前記系列を用いてチャネル推定値を算出する推定値算出部と、
を具備し、
一つのコンポーネントキャリアに割り当てられる連続周波数リソースの数の最大値は２であり、
コンポーネントキャリアの数が１つの場合、１つの系列が生成され、生成された前記１つの系列が、一つのコンポーネントキャリアにおける前記周波数リソースにマッピングされ、
コンポーネントキャリアの数が複数の場合、複数の系列が生成され、前記複数の系列が、複数のコンポーネントキャリアにおける複数の前記周波数リソースにそれぞれマッピングされている、
受信装置。
【請求項２】
前記系列は、コンポーネントキャリア内に割り当てられた複数の前記連続周波数リソースにマッピングされている、
請求項１記載の受信装置。
【請求項３】
前記系列は、巡回シフト系列である、
請求項１又は２記載の受信装置。
【請求項４】
コンポーネントキャリアの数が２つの場合、生成される前記系列の数は２つである、
請求項１から３のいずれかに記載の受信装置。
【請求項５】
コンポーネントキャリアの数が２つの場合、生成される前記系列の数は２つであり、第一のコンポーネントキャリアに対して生成される系列の番号と、第二のコンポーネントキャリアに対して生成される系列の番号とが異なる、
請求項１から４のいずれかに記載の受信装置。
【請求項６】
１つ以上のコンポーネントキャリアを用いて、参照信号を受信する受信方法であって、
参照信号として生成された系列であって、コンポーネントキャリア内に割り当てられた１つ以上の連続周波数リソースからなる周波数リソースにマッピングされた前記系列を受信する受信工程と、
受信した前記系列を用いてチャネル推定値を算出する算出工程と、
を具備し、
一つのコンポーネントキャリアに割り当てられる連続周波数リソースの数の最大値は２であり、
コンポーネントキャリアの数が１つの場合、１つの系列が生成され、生成された前記１つの系列が、一つのコンポーネントキャリアにおける前記周波数リソースにマッピングされ、
コンポーネントキャリアの数が複数の場合、複数の系列が生成され、前記複数の系列が、複数のコンポーネントキャリアにおける複数の前記周波数リソースにそれぞれマッピングされている、
受信方法。
【請求項７】
前記系列は、コンポーネントキャリア内に割り当てられた複数の前記連続周波数リソースにマッピングされている、
請求項６記載の受信方法。
【請求項８】
前記系列は、巡回シフト系列である、
請求項６又は７記載の受信方法。
【請求項９】
コンポーネントキャリアの数が２つの場合、生成される前記系列の数は２つである、
請求項６から８のいずれかに記載の受信方法。
【請求項１０】
コンポーネントキャリアの数が２つの場合、生成される前記系列の数は２つであり、第一のコンポーネントキャリアに対して生成される系列の番号と、第二のコンポーネントキャリアに対して生成される系列の番号とが異なる、
請求項６から９のいずれかに記載の受信方法。
【発明の詳細な説明】
【技術分野】
【０００１】
本発明は、受信装置及び受信方法に関する。
【背景技術】
【０００２】
3GPP LTE(3rd Generation Partnership Project Long-term Evolution)の発展形であるLTE-Advancedの上り回線では、連続帯域送信および非連続帯域送信の双方を用いることが検討されている（非特許文献１参照）。すなわち、各無線通信端末装置（以下、単に端末という）から無線通信基地局装置（以下、単に基地局という）への通信において、連続帯域送信と非連続帯域送信とを切り替える。
【０００３】
連続帯域送信は、データ信号および参照信号（RS：Reference Signal）を連続する周波数帯域に割り当てて送信する方法である。例えば、図１に示すように、連続帯域送信では、データ信号および参照信号は、連続する送信帯域に割り当てられる。連続帯域送信では、基地局が各端末での周波数帯域毎の受信品質に基づいて、各端末に対して連続する周波数帯域を割り当て、周波数スケジューリング効果を得ることができる。
【０００４】
一方、非連続帯域送信は、データ信号および参照信号を広い帯域に分散された非連続な周波数帯域に割り当てて送信する方法である。例えば、図２に示すように、非連続帯域送信では、データ信号および参照信号は、周波数帯域全体に分散された送信帯域に割り当てることができる。非連続帯域送信では、連続帯域送信に対して、各端末におけるデータ信号および参照信号の周波数帯域割当についての自由度が向上するため、より大きな周波数スケジューリング効果を得ることができる。また、非連続帯域送信は、１つの端末のデータ信号または参照信号のすべてがフェージングの谷にあたってしまう確率を減少させることができる。すなわち、非連続帯域送信によれば周波数ダイバーシチ効果を得ることができ、受信特性の劣化を抑えることができる。
【０００５】
また、LTEでは、端末は、図１および図２に示すように、データ信号と参照信号とを同一の送信帯域で送信する（非特許文献２参照）。そして、基地局は、参照信号を用いて各端末のデータ信号が割り当てられた送信帯域のチャネル推定値を推定し、このチャネル推定値を用いてデータ信号を復調する。
【０００６】
また、LTEでは、上り回線の伝搬路推定に用いられる参照信号として、高い干渉抑圧効果を備えた巡回シフト系列という直交符号が適用される（非参考文献３）。各基地局（セル）ごとに割当てられる１つの符号系列（ZC系列）が異なる巡回シフト量で巡回シフトされることにより、互いに直交する複数の巡回シフト系列が得られる。巡回シフト系列間のシフト量は、マルチパス伝搬路の遅延時間よりも大きく設定される。図３に示すように、端末は、端末毎又はアンテナ毎に異なる巡回シフト量で生成した巡回シフト系列を送信する。基地局は、伝搬路上で多重された複数の巡回シフト系列を受信し、受信信号と基本符号系列との相関演算を行うことにより、各巡回シフト系列に対応した相関値を得る。つまり、図４に示すように、巡回シフト系列（CS#2）に対応する相関値は、巡回シフト系列（CS#1）に対応する相関値が現れる位置から巡回シフト幅Δだけずれた位置に現れる。巡回シフト幅Δをマルチパス伝搬路の遅延時間より大きく設定することにより、希望波の到来波が存在する区間（検出窓）の相関値を抽出できる。
【０００７】
ここで、非連続帯域送信における参照信号の送信方法として、２つの方法が考えられる。まず、図５に示す送信方法（ａ）では、１つの符号系列から参照信号が生成される。すなわち、１つの符号系列を各連続周波数帯域（以下、クラスタと呼ぶ）の帯域幅に応じた幅で分割し、得られた部分系列を各クラスタに割り当てて送信する。
【０００８】
一方、図６に示す送信方法（ｂ）では、複数の符号系列から参照信号が生成される。すなわち、各クラスタの帯域幅に応じた符号系列が複数生成され、各符号系列をクラスタに割り当てて送信する。
【先行技術文献】
【非特許文献】
【０００９】
【非特許文献１】R1-090257, Panasonic, "System performance of uplink non-contiguous resource allocation"
【非特許文献２】3GPP TS 36.212 V8.3.0, "E-UTRA Multiplexing and channel coding(Release 8)," 2008-05
【非特許文献３】3GPP TS 36.211 V8.3.0, "Physical Channels and Modulation (Release 8)," 2008-05
【発明の概要】
【発明が解決しようとする課題】
【００１０】
しかしながら、上記した非連続帯域送信における参照信号の送信方法には、次のような課題がある。
【００１１】
送信方法（ａ）は、送信方法（ｂ）に比べて、符号系列（相関長）を長くできる。すなわち、送信方法（ａ）には、干渉を低減できる利点がある。具体的には、符号系列としてZC系列が用いられる場合、系列長をNとすると、ZC系列間の相互相関値は1/√Nで一定となる。系列長Nが２倍になると、相互相関値は1/√2倍になり、セル間干渉電力値は3dB低く抑えられる。
【００１２】
しかしながら、送信方法（ａ）には、クラスタ数が多い場合又はクラスタ間の周波数帯域でチャネル変動が大きい場合に、チャネル推定精度が劣化してしまう問題がある。図７に示すように、送信方法（ａ）が採用された場合、基地局は、複数のクラスタで受信した参照信号を連結して１つの符号系列に戻した受信参照信号と参照信号レプリカとを周波数領域で複素除算し、除算結果をIDFT処理で時間領域に変換することで相関値（つまり、遅延プロファイル）を得る。参照信号の連結ポイントではチャネル変動が不連続となり、この不連続性に起因して干渉が発生してしまう。この干渉は、クラスタ数が多いほど不連続点が増えるため、大きくなる。また、クラスタ数が多いとクラスタ当たりの帯域幅が小さくなり、相関長が小さくなるため、干渉抑圧効果が減少して干渉の影響がより大きくなる。このように干渉が増加すると、希望波の検出精度が劣化するとともに、複数の巡回シフト系列の分離が困難になるのでチャネル推定精度も大きく劣化してしまう。
【００１３】
一方、送信方法（ｂ）には、クラスタ間でチャネル変動が大きい場合にも、チャネル推定精度の劣化を防止できる利点がある。図８に示すように、送信方法（ｂ）が採用された場合、基地局は、各クラスタの受信参照信号と、参照信号レプリカとを周波数領域で複素除算し、除算結果をIDFT処理で時間領域に変換することで相関値（遅延プロファイル）を得る。送信方法（ｂ）では、送信方法（ａ）のようなチャネル変動の不連続点は存在しないため、干渉発生を防止できる。
【００１４】
しかしながら、送信方法（ｂ）では、送信方法（ａ）に比べて、クラスタ当たりの系列長（相関長）が短くなるため、干渉の抑圧効果が減少してチャネル推定精度が劣化する問題がある。例えば、クラスタ数が２で２つのクラスタの帯域幅が等しい場合、送信方法（ｂ）での干渉レベルは、送信方法（ａ）での干渉レベルより3dB増加してしまう。
【００１５】
本発明の目的は、チャネル推定精度を向上する受信装置及び受信方法を提供することを目的とする。
【課題を解決するための手段】
【００１６】
本発明の一態様に係る送信装置は、１つ以上のコンポーネントキャリアを用いて、参照信号を送信する送信装置であって、コンポーネントキャリアの数が２以上のとき、各コンポーネントキャリアにおいて、コンポーネントキャリア内の周波数帯域幅に応じた系列を生成する生成部と、前記参照信号として、前記生成された系列を各コンポーネントキャリア中の周波数リソースにマッピングするマッピング部と、を具備する構成を採る。
【００１７】
本発明の一態様に係る送信方法は、１つ以上のコンポーネントキャリアを用いて、参照信号を送信する送信方法であって、コンポーネントキャリアの数が２以上のとき、各コンポーネントキャリアにおいて、コンポーネントキャリア内の周波数帯域幅に応じた系列を生成する生成ステップと、前記参照信号として、前記生成された系列を各コンポーネントキャリア中の周波数リソースにマッピングするマッピングステップと、を含むようにした。
【発明の効果】
【００１８】
本発明によれば、チャネル推定精度を向上することができる。
【図面の簡単な説明】
【００１９】
【図１】連続帯域送信の説明に供する図
【図２】非連続帯域送信の説明に供する図
【図３】巡回シフト系列の説明に供する図
【図４】巡回シフト系列に対応する相関値の説明に供する図
【図５】非連続帯域送信における参照信号送信方法（ａ）の説明に供する図
【図６】非連続帯域送信における参照信号送信方法（ｂ）の説明に供する図
【図７】参照信号送信方法（ａ）における問題点の説明に供する図
【図８】参照信号送信方法（ｂ）における問題点の説明に供する図
【図９】本発明の実施の形態１に係る端末の構成を示すブロック図
【図１０】本発明の実施の形態１に係る基地局の構成を示すブロック図
【図１１】図１０におけるチャネル推定部の構成を示すブロック図
【図１２】実施の形態１における第１の参照信号形成方法と第２の参照信号形成方法との間の関係性を示す図
【図１３】実施の形態１における第１の参照信号形成方法と第２の参照信号形成方法との切替制御の説明に供する図
【図１４】参照信号形成方法の切り替えに用いられる閾値の調整の説明に供する図
【図１５】実施の形態１における第１の参照信号形成方法と第２の参照信号形成方法との切替制御の説明に供する図
【図１６】LTE-Advancedに適用した場合の実施例の説明に供する図
【図１７】実施の形態２における第１の参照信号形成方法と第２の参照信号形成方法との間の関係性を示す図
【図１８】実施の形態２における第１の参照信号形成方法と第２の参照信号形成方法との切替制御の説明に供する図
【図１９】参照信号形成方法の切り替えに用いられる閾値の調整の説明に供する図
【発明を実施するための形態】
【００２０】
以下、本発明の実施の形態について図面を参照して詳細に説明する。
【００２１】
（実施の形態１）
[端末の構成]
図９は、本発明の実施の形態１に係る端末１００の構成を示すブロック図である。図９において、端末１００は、受信ＲＦ部１０１と、復調部１０２と、復号部１０３と、リソース割当情報設定部１０４と、閾値設定部１０５と、参照信号制御部１０６と、参照信号生成部１０７と、符号化部１０８と、変調部１０９と、ＦＦＴ（Fast Fourier Transform）部１１０と、マッピング部１１１と、ＩＦＦＴ（Inverse Fast Fourier Transform）部１１２と、送信ＲＦ部１１３とを有する。
【００２２】
受信ＲＦ部１０１は、アンテナを介して受信した信号にダウンコンバート、Ａ／Ｄ変換等の受信処理を施し、受信処理を施した信号を復調部１０２に出力する。
【００２３】
復調部１０２は、受信ＲＦ部１０１から受け取る信号に等化処理および復調処理を施し、これらの処理を施した信号を復号部１０３に出力する。
【００２４】
復号部１０３は、復調部１０２から受け取る信号に復号処理を施し、受信データおよび制御情報を抽出する。
【００２５】
符号化部１０８は、送信データを符号化し、得られた符号化データを変調部１０９に出力する。
【００２６】
変調部１０９は、符号化部１０８から受け取る符号化データを変調し、変調信号をＦＦＴ部１１０に出力する。
【００２７】
ＦＦＴ部１１０は、変調部１０９から受け取る変調信号にＦＦＴ処理を施し、得られた信号をマッピング部１１１に出力する。
【００２８】
マッピング部１１１は、リソース割当情報設定部１０４から受け取る周波数割当情報に従って、ＦＦＴ部１１０から受け取るデータ信号、および、参照信号生成部１０７から受け取る参照信号を周波数領域のリソースにマッピングし、得られた信号をＩＦＦＴ部１１２に出力する。
【００２９】
閾値設定部１０５は、参照信号制御部１０６の切替閾値を調整する。閾値設定部１０５は、リソース割当情報設定部１０４からクラスタに関する情報を受け取り、クラスタ間の周波数間隔に基づいて、参照信号制御部１０６の切替閾値を調整する。
【００３０】
参照信号制御部１０６は、リソース割当情報設定部１０４からクラスタに関する情報を受け取り、クラスタ数と切替閾値とを大小比較し、比較結果に基づいて、参照信号生成部１０７における参照信号形成方法を決定する。参照信号制御部１０６は、決定した参照信号形成方法の識別情報を参照信号制御部１０６に出力することで、参照信号制御部１０６の参照信号形成方法を切り替える。
【００３１】
リソース割当情報設定部１０４は、参照信号およびデータ信号についての周波数割当情報（クラスタ数、各クラスタの周波数位置及び帯域幅を含む）を閾値設定部１０５、参照信号制御部１０６、及びマッピング部１１１へ出力する。リソース割当情報の内容は、後述する基地局２００から端末１００に通知され、受信ＲＦ部１０１、復調部１０２、及び復号部１０３を介してリソース割当情報設定部１０４に入力される。
【００３２】
参照信号生成部１０７は、参照信号制御部１０６から受け取る識別情報が示す参照信号形成方法によって参照信号を生成し、マッピング部１１１へ出力する。参照信号形成方法には、上述の通り、１つの基本符号系列を各クラスタに合わせた長さに分割することにより、クラスタ数分の部分系列を参照信号として形成する第１の形成方法（送信方法（ａ））と、クラスタ数分の基本符号系列の長さを各クラスタに合わせて調整することにより、クラスタ数分の符号系列を参照信号として形成する第２の形成方法（送信方法（ｂ））とがある。
【００３３】
ＩＦＦＴ部１１２は、マッピング部１１１から受け取る信号にＩＦＦＴ処理し、得られた信号を送信ＲＦ部１１３に出力する。
【００３４】
送信ＲＦ部１１３は、ＩＦＦＴ部１１２から受け取る信号にＤ／Ａ変換、アップコンバート、増幅等の送信処理を施し、得られた信号をアンテナを介して基地局２００へ無線送信する。
【００３５】
[基地局の構成]
図１０は、本発明の実施の形態１に係る基地局２００の構成を示すブロック図である。図１０において、基地局２００は、受信ＲＦ部２０１と、ＤＦＴ（Discrete Fourier transform）部２０２と、デマッピング部２０３と、リソース割当情報設定部２０４と、閾値設定部２０５と、チャネル推定制御部２０６と、チャネル推定部２０７と、周波数領域等化部２０８と、ＩＦＦＴ部２０９と、復調部２１０と、復号部２１１と有する。
【００３６】
受信ＲＦ部２０１は、アンテナを介して受信した信号にダウンコンバート、Ａ／Ｄ変換等の受信処理を施し、得られた信号をＤＦＴ部２０２に出力する。
【００３７】
ＤＦＴ部２０２は、受信ＲＦ部２０１から受け取る信号にＤＦＴ処理を施し、時間領域から周波数領域の信号に変換する。そして、ＤＦＴ部２０２は、周波数領域の信号をデマッピング部２０３に出力する。
【００３８】
デマッピング部２０３は、リソース割当情報設定部２０４から受け取る周波数割当情報に従って、ＤＦＴ部２０２から受け取る周波数領域の信号からデータ信号および参照信号を抽出する。そして、デマッピング部２０３は、抽出したデータ信号を周波数領域等化部２０８に出力し、参照信号をチャネル推定部２０７に出力する。
【００３９】
リソース割当情報設定部２０４は、端末１００へ割り当てられた周波数割当情報（クラスタ数、各クラスタの周波数位置及び帯域幅を含む）を閾値設定部２０５、チャネル推定制御部２０６、及びデマッピング部２０３へ出力する。なお、リソース割当情報の内容は、予め基地局２００から端末１００に通知される。
【００４０】
閾値設定部２０５は、チャネル推定制御部２０６の切替閾値を調整する。閾値設定部２０５は、リソース割当情報設定部２０４からクラスタに関する情報を受け取り、クラスタ間の周波数間隔に基づいて、チャネル推定制御部２０６の切替閾値を調整する。
【００４１】
チャネル推定制御部２０６は、チャネル推定部２０７におけるチャネル推定方法を、端末１００の参照信号送信方法に応じたチャネル推定方法に切り替える。すなわち、チャネル推定制御部２０６は、リソース割当情報設定部２０４からクラスタに関する情報を受け取り、クラスタ数と切替閾値とを大小比較し、比較結果に基づいて、チャネル推定部２０７におけるチャネル推定方法を決定する。チャネル推定制御部２０６は、決定したチャネル推定方法の識別情報をチャネル推定部２０７に出力することで、チャネル推定部２０７におけるチャネル推定方法を切り替える。
【００４２】
チャネル推定部２０７は、チャネル推定制御部２０６から受け取る識別情報が示すチャネル推定方法によってチャネル推定を行い、チャネル推定結果を周波数領域等化部２０８へ出力する。チャネル推定部２０７の構成については、後に詳しく説明する。
【００４３】
周波数領域等化部２０８は、チャネル推定部２０７から受け取るチャネル推定結果（つまり、伝搬路の周波数応答）を用いて、デマッピング部２０３から受け取るデータ信号に等化処理を施す。そして、周波数領域等化部２０８は、等化処理の結果をＩＦＦＴ部２０９に出力する。
【００４４】
ＩＦＦＴ部２０９は、周波数領域等化部２０８から受け取るデータ信号にＩＦＦＴ処理を施し、得られた信号を復調部２１０に出力する。
【００４５】
復調部２１０は、ＩＦＦＴ部２０９から受け取る信号に復調処理を施し、得られた信号を復号部２１１に出力する。
【００４６】
復号部２１１は、復調部２１０から受け取る信号に復号処理を施し、得られた受信データを出力する。
【００４７】
図１１は、チャネル推定部２０７の構成を示すブロック図である。図１１において、チャネル推定部２０７は、切替スイッチ２２０と、推定処理部２３０と、推定処理部２４０とを有する。
【００４８】
切替スイッチ２２０は、デマッピング部２０３から受け取る参照信号の出力先を、チャネル推定制御部２０６から受け取る識別情報に基づいて、推定処理部２３０又は推定処理部２４０に切り替える。
【００４９】
推定処理部２３０は、第１の参照信号形成方法に対応する第１のチャネル推定方法を実行する。推定処理部２３０は、クラスタ合成部２３１と、除算部２３２と、ＩＦＦＴ部２３３と、マスク処理部２３４と、ＤＦＴ部２３５とを有する。
【００５０】
クラスタ合成部２３１は、端末１００で参照信号の送信に用いられた複数のクラスタを周波数領域で連結し、これにより得られた受信参照信号を除算部２３２へ出力する。
【００５１】
除算部２３２は、クラスタ合成部２３１から受け取る受信参照信号を、参照信号レプリカ（つまり、端末１００が送信した参照信号）で複素除算する。そして、除算部２３２は、除算結果（つまり、相関値）をＩＦＦＴ部２３３に出力する。
【００５２】
ＩＦＦＴ部２３３は、除算部２３２から受け取る信号にＩＦＦＴ処理を施し、得られた信号をマスク処理部２３４に出力する。
【００５３】
所望の希望波の抽出手段としてのマスク処理部２３４は、端末１００で用いられた巡回シフト量に基づいて、ＩＦＦＴ部２３３から受け取る信号（遅延プロファイルに相当）にマスク処理を施すことにより、所望の巡回シフト系列の相関値が存在する区間（検出窓）における相関値を抽出する。そして、マスク処理部２３４は、抽出した相関値をＤＦＴ部２３５に出力する。
【００５４】
ＤＦＴ２３５部は、マスク処理部２３４から入力される相関値にＤＦＴ処理を施し、得られた信号を周波数領域等化部２０８に出力する。このＤＦＴ部２３５から出力される信号は、チャネル変動（つまり、伝搬路の周波数応答）を推定したチャネル推定値である。
【００５５】
推定処理部２４０は、第２の参照信号形成方法に対応する第２のチャネル推定方法を実行する。推定処理部２４０は、クラスタ抽出部２４１と、各クラスタに対応した推定値算出部２４２−１〜ｎとを有する。推定値算出部２４２は、除算部２４３と、ＩＦＦＴ部２４４と、マスク処理部２４５と、ＤＦＴ部２４６とを有する。
【００５６】
クラスタ抽出部２４１は、端末１００で参照信号の送信に用いられたｎ個のクラスタを推定値算出部２４２−１〜ｎへそれぞれ出力する。推定値算出部２４２では、除算部２３２、ＩＦＦＴ部２３３、マスク処理部２３４、及びＤＦＴ部２３５で行われた処理と同様の処理が行われる。
【００５７】
[端末の動作]
以上の構成を有する端末１００の動作について説明する。
【００５８】
上記のように、端末１００において、参照信号制御部１０６は、参照信号生成部１０７を制御して参照信号形成方法を切り替える。
【００５９】
上記した第１の参照信号形成方法（送信方法（ａ））及び第２の参照信号形成方法（送信方法（ｂ））には、図１２に示すような関係性がある。すなわち、第２の参照信号形成方法を用いた場合のチャネル推定精度は、クラスタ数に関わらず一定である。一方、第１の参照信号形成方法を用いた場合のチャネル推定精度は、クラスタ数が増えるに従って低下する傾向がある。従って、或るクラスタ数Ｎを境に、第１の参照信号形成方法のチャネル推定精度と第２の参照信号形成方法のチャネル推定精度とが逆転する。すなわち、クラスタ数がＮ以下の場合には、第１の参照信号形成方法のチャネル推定値が、第２の参照信号形成方法のチャネル推定値を上回る一方、クラスタ数がＮより大きい場合には、逆に、第２の参照信号形成方法のチャネル推定値が、第１の参照信号形成方法のチャネル推定値を上回る。
【００６０】
従って、第１の参照信号形成方法のチャネル推定精度と第２の参照信号形成方法のチャネル推定精度とが逆転するポイントのクラスタ数を切替閾値として用いることにより、クラスタ数に応じてチャネル推定精度に関してより有利な参照信号形成方法を選択することができる。このような参照信号形成方法の切換制御を行うことにより、基地局２００では図１３の実線で示されるチャネル推定精度を得ることができる。
【００６１】
また、第１の参照信号形成方法のチャネル推定精度には、図１４に示すように、クラスタ間の周波数間隔に対する依存性がある。すなわち、クラスタ間の周波数間隔が狭いほどチャネル推定精度曲線は上方にシフトする。従って、クラスタ間の周波数間隔が変化すると、第１の参照信号形成方法のチャネル推定精度と第２の参照信号形成方法のチャネル推定精度とが逆転するポイントもシフトする。
【００６２】
従って、閾値設定部１０５がクラスタ間の周波数間隔に基づいて参照信号制御部１０６の切替閾値を調整することにより、参照信号形成方法の選択を精度良く行うことができる。
【００６３】
以上で説明した端末１００における送信方法の切替制御をまとめると、図１５に示すようになる。すなわち、周波数間隔がＹ以上の場合には、Ｎ１が切替閾値として利用され、この閾値とクラスタ数との大小関係によって送信方法（ａ）と送信方法（ｂ）とが切り替えられる。一方、周波数間隔がＹより小さい場合には、Ｎ２が切替閾値として利用される。
【００６４】
以上のように本実施の形態によれば、互いに周波数方向で間隔を空けて配置されたｎ（ｎは、２以上の自然数）個の帯域ブロック（ここでは、クラスタに対応）を用いて参照信号を送信する端末１００において、参照信号制御部１０６が、帯域ブロックの数ｎに基づいて、参照信号生成部１０７の参照信号形成方法を第１の形成方法と第２の形成方法との間で切り替える。
【００６５】
これにより、チャネル推定精度に関してより有利な参照信号形成方法を選択することができ、この結果としてチャネル推定精度を向上することができる。
【００６６】
また、端末１００において、閾値設定部１０５が、切替閾値を帯域ブロック間の周波数間隔に基づいて調整する。
【００６７】
これにより、参照信号形成方法の選択を精度良く行うことができ、この結果としてチャネル推定精度をさらに向上することができる。
【００６８】
なお、以上の説明では、各クラスタを１つの帯域ブロックとして扱う場合について説明した。しかしながら、本発明はこれに限定されるものではなく、複数のクラスタから成る帯域ブロックを、実施の形態１で説明したクラスタと同等に扱っても良い。すなわち、複数のクラスタから成る帯域ブロックが複数有る場合に、１つの基本符号系列を各帯域ブロックに合わせた長さに分割することにより、帯域ブロック数分の部分系列を参照信号として形成する第１の形成方法と、帯域ブロック数分の基本符号系列の長さを各帯域ブロックに合わせて調整することにより、帯域ブロック数分の符号系列を参照信号として形成する第２の形成方法としても良い。
【００６９】
例えば、LTE-Advancedにおける所定のシステム帯域幅であるコンポーネントキャリアが、この帯域ブロックに相当する。コンポーネントキャリアは、シグナリングのフォーマットの制限などにより、含み得るクラスタ数の最大値が定義されている。従って、このような場合には、コンポーネントキャリアの数に応じて、参照信号の送信方法を切り替えることができる。例えば、コンポーネントキャリア内のクラスタ数の最大値が２の場合、図１６に示すように、コンポーネントキャリア数が１のときには送信方法（ａ）が選択される一方、コンポーネントキャリア数が２以上のときには送信方法（ｂ）が選択されることによっても、上記実施の形態１と同様の効果が得られる。
【００７０】
（実施の形態２）
実施の形態２では、「クラスタ帯域幅」に基づいて、参照信号の形成方法を切り替える。すなわち、参照信号の形成方法は、切替閾値及びクラスタの数ｎに加えてｎ個のクラスタの合計帯域幅に基づいて切り替えられる。なお、本実施の形態に係る端末及び基地局の基本構成は、実施の形態１で説明された端末及び基地局の構成と同じである。従って、本実施の形態に係る端末及び基地局についても、図９及び図１０を用いて説明する。
【００７１】
[端末の構成]
実施の形態２の端末１００における参照信号制御部１０６は、リソース割当情報設定部１０４からクラスタに関する情報を受け取り、まず、「クラスタ帯域幅」を算出する。この「クラスタ帯域幅」は、１クラスタ当たりの平均帯域幅を意味し、ｎ個のクラスタの合計帯域幅をクラスタ数ｎで除算することにより得られる。
【００７２】
そして、参照信号制御部１０６は、クラスタ帯域幅と切替閾値とを大小比較し、比較結果に基づいて、参照信号生成部１０７における参照信号形成方法を決定する。参照信号制御部１０６は、決定した参照信号形成方法の識別情報を参照信号制御部１０６に出力することで、参照信号制御部１０６の参照信号形成方法を切り替える。
【００７３】
[基地局の構成]
また、実施の形態２の基地局２００におけるチャネル推定制御部２０６は、チャネル推定部２０７におけるチャネル推定方法を、端末１００の参照信号送信方法に応じたチャネル推定方法に切り替える。すなわち、チャネル推定制御部２０６は、リソース割当情報設定部２０４からクラスタに関する情報を受け取り、参照信号制御部１０６と同様に、まず、「クラスタ帯域幅」を算出する。
【００７４】
そして、チャネル推定制御部２０６は、クラスタ帯域幅と切替閾値とを大小比較し、比較結果に基づいて、参照信号生成部１０７における参照信号形成方法を決定する。チャネル推定制御部２０６は、決定したチャネル推定方法の識別情報をチャネル推定部２０７に出力することで、チャネル推定部２０７におけるチャネル推定方法を切り替える。
【００７５】
[端末の動作]
上記のように、端末１００において、参照信号制御部１０６は、参照信号生成部１０７を制御して参照信号形成方法を切り替える。
【００７６】
上記した第１の参照信号形成方法（送信方法（ａ））及び第２の参照信号形成方法（送信方法（ｂ））には、横軸にクラスタ帯域幅をとると、図１７に示すような関係性がある。
【００７７】
具体的には、図１７に示すように、送信方法（ａ）の性能は、クラスタ帯域幅に依存し、クラスタ帯域幅が小さいほど劣化する。クラスタ帯域幅が小さい場合、クラスタ数は増える傾向になる。そのため、チャネル推定算出におけるチャネル変動の不連続点が増えることで、干渉が増加する。また、送信方法（ｂ）の性能も、クラスタ帯域幅に依存し、クラスタ帯域幅が小さいほど劣化する。相関長がクラスタ帯域幅に応じて小さくなるので、干渉抑圧効果が低下する。この送信方法（ｂ）の性能劣化は、送信方法（ａ）の性能劣化よりも大きくなる。
【００７８】
一方で、送信方法（ｂ）の性能は、クラスタ帯域幅が大きい場合は、送信方法（ａ）の性能を上回る。送信方法（ｂ）は、クラスタ帯域幅が大きければ、十分な干渉抑圧効果が得られ、雑音レベルにまで抑圧することができる。さらに、送信方法（ｂ）は、クラスタ数が大きくても性能は劣化しないのに対して、送信方法（ａ）は、クラスタ帯域幅が大きい場合でも、チャネル変動の不連続による大きな干渉が生じる。
【００７９】
すなわち、ここでも、或るクラスタ帯域幅Ｍを境に、第１の参照信号形成方法のチャネル推定精度と第２の参照信号形成方法のチャネル推定精度とが逆転する。すなわち、クラスタ帯域幅がＭ以下の場合には、第１の参照信号形成方法のチャネル推定値が、第２の参照信号形成方法のチャネル推定値を上回る一方、クラスタ帯域幅がＭより大きい場合には、逆に、第２の参照信号形成方法のチャネル推定値が、第１の参照信号形成方法のチャネル推定値を上回る。
【００８０】
従って、第１の参照信号形成方法のチャネル推定精度と第２の参照信号形成方法のチャネル推定精度とが逆転するポイントのクラスタ帯域幅を切替閾値として用いることにより、クラスタ帯域幅に応じてチャネル推定精度に関してより有利な参照信号形成方法を選択することができる。このような参照信号形成方法の切換制御を行うことにより、基地局２００では図１８の実線で示されるチャネル推定精度を得ることができる。
【００８１】
また、第１の参照信号形成方法のチャネル推定精度には、横軸にクラスタ帯域幅をとっても、図１９に示すように、クラスタ間の周波数間隔に対する依存性がある。すなわち、クラスタ間の周波数間隔が狭いほどチャネル推定精度曲線は上方にシフトする。従って、クラスタ間の周波数間隔が変化すると、第１の参照信号形成方法のチャネル推定精度と第２の参照信号形成方法のチャネル推定精度とが逆転するポイントもシフトする。
【００８２】
従って、閾値設定部１０５がクラスタ間の周波数間隔に基づいて参照信号制御部１０６の切替閾値を調整することにより、参照信号形成方法の選択を精度良く行うことができる。
【００８３】
以上のように本実施の形態によれば、端末１００において、参照信号制御部１０６が、「クラスタ帯域幅」に基づいて参照信号の形成方法を切り替える。すなわち、参照信号の形成方法は、切替閾値及びクラスタの数ｎに加えてｎ個のクラスタの合計帯域幅に基づいて切り替えられる。
【００８４】
これにより、チャネル推定精度に関してより有利な参照信号形成方法を選択することができ、この結果としてチャネル推定精度を向上することができる。
【００８５】
なお、以上の説明においては、クラスタ帯域幅に基づいて参照信号の形成方法を切り替えたが、クラスタ帯域幅の代わりに、ｎ個のクラスタの帯域幅で最小の帯域幅を用いても良い。
【００８６】
（他の実施の形態）
上記した実施の形態１及び実施の形態２では、クラスタ数又はクラスタ帯域幅に応じて、端末１００における参照信号の送信方法及び基地局２００におけるチャネル推定方法の両方が切り替わる場合について説明した。しかしながら、基地局２００におけるチャネル推定方法だけを切り替えても良い。すなわち、端末１００における参照信号の送信方法は送信方法（ａ）又は送信方法（ｂ）で固定として、クラスタ数又はクラスタ帯域幅に応じて基地局２００におけるチャネル推定方法を切り替えても良い。こうすることでも、実施の形態１及び実施の形態２に近い効果が得られる。
【００８７】
また、上記実施の形態では、本発明をハードウェアで構成する場合を例にとって説明したが、本発明はソフトウェアで実現することも可能である。
【００８８】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００８９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００９０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【００９１】
２００９年１月２９日出願の特願２００９−０１８６３２の日本出願に含まれる明細書、図面および要約書の開示内容は、すべて本願に援用される。
【産業上の利用可能性】
【００９２】
本発明は、チャネル推定精度を向上するものとして有用である。
【図１】
0005501510.tif 000002
【図２】
0005501510.tif 000003
【図３】
0005501510.tif 000004
【図４】
0005501510.tif 000005
【図５】
0005501510.tif 000006
【図６】
0005501510.tif 000007
【図７】
0005501510.tif 000008
【図８】
0005501510.tif 000009
【図９】
0005501510.tif 000010
【図１０】
0005501510.tif 000011
【図１１】
0005501510.tif 000012
【図１２】
0005501510.tif 000013
【図１３】
0005501510.tif 000014
【図１４】
0005501510.tif 000015
【図１５】
0005501510.tif 000016
【図１６】
0005501510.tif 000017
【図１７】
0005501510.tif 000018
【図１８】
0005501510.tif 000019
【図１９】
0005501510.tif 000020